(57)【特許請求の範囲】
【請求項１】
電動送風機を内蔵するとともに、この電動送風機に連通する集塵室を内蔵する電気掃除機の本体において、本体を持ち運ぶためのハンドルを設け、該ハンドルの両端部に、回動中心の位置が該ハンドルの外郭から外側に設定された略円弧状の突出部を設け、該円弧状の突出部を摺動可能に収納、支持可能とする空間部を設けて、該ハンドルを回動自在に軸支した電気掃除機。
【請求項２】
電動送風機を内蔵するとともに、この電動送風機に連通する集塵室を設けた電気掃除機本体において、前記集塵室を開閉自在に閉塞する蓋体を設け、本体の外郭を構成する上カバー体と蓋体のいずれか一方に支軸を設け、他方にその支軸を回動自在に軸支する軸支穴を設け、前記蓋体の回動中心と略同一の回動中心を有する回動自在なハンドルを設け、前記ハンドルの側面に前記回動中心と同心円の略円弧状の突出部を設け、前記上カバー体と前記蓋体にて形成させる略円弧状の空間に沿って前記突出部が摺動するように構成した電気掃除機。
【請求項３】
ハンドルの略円弧状の突出部に鉛直方向にリブ体を設け、ハンドルを外側方向へ力を加えた時、前記リブ体にて前記ハンドルの突出部が摺動する空間を形成する上カバー体と蓋体に設けた軸受部Ａ、軸受部Ｂの少なくともいずれか一方に前記リブ体が引っかかるように構成した請求項２記載の電気掃除機。
【発明の詳細な説明】
【０００１】
【発明の属する技術分野】
本発明は、集塵室を開閉自在に閉塞する蓋体と回動自在なハンドルを備えた電気掃除機に関するものである。
【０００２】
【従来の技術】
従来の電気掃除機は、例えば特開平８ー３２２７７３号公報に示されるものがある。その構成について図２２、２３を用いて説明する。
【０００３】
前方に上面開の集塵室（図示せず）を有し、後方に電動送風機（図示せず）を内蔵した本体ケース１１１と、該本体ケース１１１に回動自在に支持され、集塵室を開閉自在に閉塞する蓋体１１２と、前記本体ケースと蓋体からなる掃除機本体に対し回動自在に支持されたハンドル１１３とを備え、前記蓋体１１２に、本体ケース１１１に形成された軸支部に回動自在に軸支される支軸１１４を形成すると共に、前記ハンドル１１３には、蓋体１１２の支軸１１４が係合する軸支穴１１５を設けた電気掃除機の本体である。
【０００４】
また、掃除機を小型化にするために蓋体の高さ方向の寸法を小さくすることを目的とした構成で特開平９ー１２２０５３号公報に示されるものがある。その構成については図２４、２５を用いて説明する。
【０００５】
上ケース１１６及び下ケース（図示せず）で外郭を構成し、前部に集塵室（図示せず）、後部に電動送風機（図示せず）とコードリール（図示せず）を内蔵する掃除機本体と、該掃除機本体に回動可能に配設されると共に前記集塵室の上方を覆う蓋体１１７とを有する電気掃除機において、前記蓋体１１７の回動は蓋体１１７に設けたアーム１１８が、上ケース１１６に回動可能に配設されるハンドル１１９と上ケース１１６により構成される空間１２０を摺動する構成とした電気掃除機の本体である。
【０００６】
【発明が解決しようとする課題】
しかしながら、前者に示した従来の構成の場合、ハンドル１１３の軸支位置と蓋体の軸支位置とは同一高さになるため、掃除機本体の高さをその中心から外周にかけてあまり低くすることができず、本体を小型化することができない。また、蓋体１１２とハンドル１１３の軸支部をそれぞれに上ケースに設けた場合、本体の高さ方向を本体中心から外周にかけ低くすることができるが、軸部を別々に構成する必要があるため、逆に掃除機本体の横方向に拡がることになる。そのため、ハンドルの軸支を蓋体の壁部に設け軸位置を低くした場合、掃除機本体は小型化が図れるが、しかしハンドルを回動した後、蓋体を開口すると軸位置のズレがハンドルを倒立状態から移動し保持構成、及びストッパー構成をとりにくくなる。また、後者の従来例で示した構成の場合、蓋体１１７のアーム１１８の回動を保持するハンドル１１９において、使用性の向上を目的としてその大きさを掃除機本体の外周に一致するまで大きくすると結果的には本体の高さ方向に対して低くならず、この従来構成では、ハンドル１２５の保持位置が掃除機本体の中心に近いことが本体を小型化にする条件となってくる。そうなればハンドル１１９は小さくなりその使用性は悪い。
【０００７】
本発明は、このような従来の課題を解決するものであり、掃除機本体の外観を小さく、特に本体の高さ方向に対して小さくなるようにし、かつハンドルの使用性を向上させた電気掃除機の本体を提供することを目的とする。
【０００８】
【課題を解決するための手段】
上記課題を解決するために本発明は、電動送風機を内蔵するとともに、この電動送風機に連通する集塵室を設けた電気掃除機本体において、前記集塵室を開閉自在に閉塞する蓋体を設け、本体の外郭を構成する上カバー体と蓋体のいずれか一方に支軸を設け、他方にその支軸を回動自在に軸支する軸支穴を設け、前記蓋体の回動中心と略同一の回動中心を有する回動自在なハンドルを設け、前記ハンドルの側面に前記回動中心と同心円の略円弧状の突出部を設け、前記上カバー体と前記蓋体にて形成させる略円弧状の空間に沿って前記突出部が摺動するように構成したものである。上記構成によって、ハンドルと蓋体の軸位置を同一の高さにしながらハンドルの掃除機本体に対する高さ方向に低くすることが実現でき、掃除機本体の外観を小さくすることが可能となる。またハンドルを大きくすることでハンドルの使用性は向上する。
【０００９】
【発明の実施の形態】
上記の課題を解決するために本発明の請求項１記載の発明は、電動送風機を内蔵するとともに、この電動送風機に連通する集塵室を内蔵する電気掃除機の本体において、本体を持ち運ぶためのハンドルを設け、該ハンドルの両端部に、回動中心の位置が該ハンドルの外郭から外側に設定された略円弧状の突出部を設け、該円弧状の突出部を摺動可能に収納、支持可能とする空間部を設けて、該ハンドルを回動自在に軸支したものであり、それにより、ハンドルの回動中心の位置が高くなるためハンドルを本体に対し略垂直状態の位置まで回動した際に持ち手の部分が高い位置にくるため、持ち手部分が取りやすくなり使用性が向上する。
【００１０】
本発明の請求項２記載の発明は、電動送風機を内蔵するとともに、この電動送風機に連通する集塵室を設けた電気掃除機本体において、前記集塵室を開閉自在に閉塞する蓋体を設け、本体の外郭を構成する上カバー体と蓋体のいずれか一方に支軸を設け、他方にその支軸を回動自在に軸支する軸支穴を設け、前記蓋体の回動中心と略同一の回動中心を有する回動自在なハンドルを設け、前記ハンドルの側面に前記回動中心と同心円の略円弧状の突出部を設け、前記上カバー体と前記蓋体にて形成させる略円弧状の空間に沿って前記突出部が摺動するように構成したものであり、それにより、蓋体とハンドル軸位置は同一のまま、本体の高さ方向に対して本体中心より外周にかけて低くすることが可能となる。また、ハンドルを大きくすることでハンドルの使用性は向上させることができる。
【００１１】
本発明の請求項３記載の発明は、ハンドルの略円弧状の突出部に鉛直方向にリブ体を設け、ハンドルを外側方向へ力を加えた時、前記リブ体にて前記ハンドルの突出部が摺動する空間を形成する上カバー体と蓋体に設けた軸受部Ａ、軸受部Ｂの少なくともいずれか一方に前記リブ体が引っかかるように構成したものであり、それにより、ハンドル使用時、ハンドルにかかるねじれ等によるハンドルが外方向へ拡がろうとする力に対して、突出部に設けたリブ体により軸受部Ａと軸受部Ｂの少なくともいずれか一方で受けるため、ハンドルは完全に保持され、ハンドルがどの位置にいても抜けることはなく、また、上下でリブ体が受ける場合、ハンドルにかかる力が分散され負荷による変形は軽減し信頼性は向上する。
【００１２】
【実施例】
以下本発明の実施例について図面を参照して説明する。
【００１３】
（実施例１）
図１において、電動送風機１を内蔵するとともに、この電動送風機１に連通する集塵室２を内蔵する電気掃除機本体において、本体を持ち運ぶためのハンドル５を設け、前記ハンドル５の両端部に略円弧状の突出部７を設け、この突出部７を支持するために、本体外殻を形成する上カバー体３と下カバー体４において、前記上カバー体３に設けた略円弧状の凸部と前記下カバー体４に設けた前記凸部と同一中心となる略円弧状の凹部とで略円弧状の空間部６を形成し、この略円弧状の空間部６で前記突出部７を摺動可能に収納し、かつ、支持可能にし、この構成により前記ハンドル５を回動自在に軸支したものである。
【００１４】
上記構成により、ハンドル５の回動中心の位置がハンドル５の外郭から外側に設定されるため、ハンドル５を本体に対し略垂直状態にまで回動した際、ハンドル５の持ち手部分８が高い位置にくることになるため、本体を持ち運ぶためにハンドル５を取る際、ハンドル５が本体に対して略垂直状態の時にはハンドル５の持ち手部分８が取りやすくなり使用性が向上する。
【００１５】
（実施例２）
次に実施例２を図２〜５を用いて説明する。
【００１６】
図において、電動送風機１を内蔵するとともにこの電動送風機１に連通する集塵室２を設けた電気掃除機本体において、前記集塵室２を開閉自在に閉塞する蓋体９を設け、本体の外郭を構成する上カバー体３に支軸１０設け、前記蓋体９にその支軸１０を回動自在に軸支する軸支穴１１を設ける。また、この支軸１０と軸支穴１１は前記上カバー体３と前記蓋体９において逆に構成しても良い。前記蓋体９の回動中心と略同一の回動中心を有する回動自在なハンドル５を設け、前記ハンドル５の側面に回動中心と同心円の略円弧状の突出部７を設け、前記上カバー体１と前記蓋体９に設けた軸受部Ａ１２及び軸受部Ｂ１３にて形成させる略円弧状の空間１４を前記突出部７が摺動するように構成したものである。
【００１７】
上記構成により、機能上において蓋体９とハンドル５の回動中心を同一に高さにしなければならない場合に、その回動中心の位置は一致させたまま、ハンドル５の外郭（天面）の高さを蓋体軸位置における本体外郭（天面）の高さよりも低くできるため、本体の高さ方向に対して本体中心より外周にかけて低くすることが可能となり、本体の外観は小さくなる。
【００１８】
（実施例３）
次に実施例３を図６、７を用いて説明する。なお、上記実施例と同一の箇所は説明を省略する。
【００１９】
図において、ハンドル５の略円弧状の突出部７に鉛直方向にリブ体１５を設け、ハンドル５を外側方向へ力を加えた時、前記リブ体１５にて前記ハンドル５の突出部７が摺動する空間１４を形成する上カバー体１と蓋体９に設けた軸受部Ａ１２、軸受部Ｂ１３の少なくともいずれか一方に前記リブ体１５が引っかかるように構成したものである。
【００２０】
上記構成により、ハンドル５を持って掃除機本体を持ち上げ移動させる際などのハンドル５使用時において、ハンドル５にかかるねじれ等によるハンドル５が外方向へ拡がろうとする力が働く場合があり、それに対して前記突出部７に設けたリブ体１５により軸受部Ａ１２と軸受部Ｂ１３の少なくともいずれか一方で受けるようにしているため、ハンドル５がどの位置にいても抜けることはなく、また、前記軸受部の両方で前記リブ体１５が当たるようにすればハンドル５は完全に保持されることとなり、ハンドル５にかかる力が分散され負荷によるねじれの変形は軽減し信頼性は向上する。
【００２１】
（参考例１）
次に参考例１を図８、９を用いて説明する。なお、上記実施例と同一の箇所は説明を省略する。
【００２２】
図において、上カバー体１に係止凸部１６を設け、ハンドル５の略円弧状の突出部７に鉛直方向にリブ体１８を設け、上カバー体１の軸受部Ａ１２と蓋体９の軸受部Ｂ１３の少なくともいずれか一方をハンドル５の回動方向に対して傾斜させ、前記ハンドル５の回動時、掃除機本体に対し略垂直状態で確実に前記係止凸部１６とハンドル５の壁１７が当接するようにしたものである。
【００２３】
上記構成により、ハンドル５を回動させていくと前記軸受部Ａ１２もしくは軸受部Ｂ１３を回動方向に対して傾斜させたことで、その傾斜面によりハンドル５の前記突出部７のリブ体１８が押されて本体内側に寄せられることとなり、ハンドル５の倒立状態では前記上カバー体１に設けたストッパーの係止凸部１６によって完全に止められることとなり、ガタつき等によりストッパーからはずれることはなく、また、係止させるために係止凸部１６の面を大きく取る必要もなくなり本体の外観を大きくさせる必要はなくなる。
【００２４】
（参考例２）
次に参考例２を図１０を用いて説明する。なお、上記実施例、参考例と同一の箇所は説明を省略する。
【００２５】
図において、ハンドル５の略円弧状の突出部７に鉛直方向に設けたリブ体１９を上カバー体１に設けた係止凹部２０と係合し、かつ前記リブ体１９の一部の形状をくさび形状にし、かつ前記係止凹部２０にも前記くさび形状に相対するように傾斜面を設け、ハンドル５が略垂直状態の時、前記リブ体１９のくさび形状が前記係止凹部２０に係止するように構成したものである。
【００２６】
上記構成により、ハンドル５を持って掃除機本体を持ち上げても、係止部であるリブ体１９のくさび形状部分で掃除機本体の上方向に対する負荷に対して保持されるため、上記蓋体９の軸支部分には負荷がかからず、また、ハンドル５又はハンドル５と蓋体９の両方が掃除機本体の重量、また上下方向の衝撃によってはずれるといった問題は生じなくなる。また、前記係止凹部２０をくさび形状にすることでハンドル５を保持された状態からさらに回動させた場合、前記蓋体９の軸受部Ｂ１３にかかる力の方向が蓋体９を開口せせる方向の力とは一致しないため蓋体９が開いてしまうことはない。
【００２７】
また、図１１に示すように、リブ体のくさび形状を鍵状２１にすればさらにその効果が得られる。
【００２８】
（参考例３）
次に参考例３を図１２を用いて説明する。なお、上記実施例、参考例と同一の箇所は説明を省略する。
【００２９】
図において、上カバー体１の軸受部Ａ１２の側面に傾斜面Ａ２２を設けたリブ体２３を配置し、これと相対するハンドル５の壁部１７の一部に傾斜面Ｂ２４を形成し、前記ハンドル５を回動させて本体に対して略垂直状態となる時に上カバー体１に設けた前記傾斜面Ａ２２とハンドル５の壁面に設けた前記傾斜面Ｂ２４とが当接することによりハンドル５が外側方向に拡がるように構成したものである。
【００３０】
上記構成により、ハンドル５を回動させて略垂直状態となる時、すなわちハンドル５を持って本体を持ち上げたとき、前記傾斜面Ａ２２、Ｂ２４によってハンドル５は外方向に拡がり、ハンドル５を離すとハンドル５は自身の弾性によって元に戻ろうと内側方向に力が働き、前記傾斜面２２、２４からの反発力が本体内側の斜め方向に受けるため、図のように回動方向に対し戻る方向にハンドル７は挙動し、かつこの挙動で戻ったり、結果ハンドル５をいちいち元に戻さなくとも勝手に戻ってしまい使用性は向上する。
【００３１】
（参考例４）
次に参考例４を図１３、１４を用いて説明する。なお、上記実施例、参考例と同一の箇所は説明を省略する。
【００３２】
図において、上カバー体１に設けた軸受部Ａ１２とハンドル５の略円弧状の突出部７との摺接面において、前記軸受部Ａ１２の摺接面に複数個の凹部２５を設け、かつその凹部２５底面を傾斜面２６としたものである。
【００３３】
上記構成により、ハンドル５回動時の面接触面積が減るため摺動抵抗が減るとともに、摺接面に溜まった塵埃が前記凹部２５の傾斜面２６によって下に滑り落ちるために摺接部に塵埃が溜まることはなく、塵埃により摺接部が噛み合い回動しなくなるといった不良は生じず、ハンドル５の使用性は良くなる。
【００３４】
（参考例５）
次に参考例５を図１５を用いて説明する。なお、上記実施例、参考例と同一の箇所は説明を省略する。
【００３５】
図において、ハンドル５の略円弧状の突出部７において、上側の摺接面から下側の摺接面まで貫通した穴２７を１つもしくは複数個形成したものである。
【００３６】
上記構成により、ハンドル５の突出部７と蓋体９の軸受部Ｂ１３との摺接面に溜まる塵埃は穴２７を通って下に落ちるため、摺接面に塵埃が溜まることはなく、塵埃により摺接部が噛み合い回動しなくなるといった不良は生じず、ハンドル５の使用性は良くなる。
【００３７】
（参考例６）
次に参考例６を図１６を用いて説明する。なお、上記実施例、参考例と同一の箇所は説明を省略する。
【００３８】
図において、ハンドル５の略円弧状の突出部７と上カバー体１の軸受部Ａ１２との摺接部、及び前記ハンドル５の突出部７と蓋体９の軸受部Ｂ１３との摺接面において、それぞれの摺接面に前記ハンドル５の回動方向に対して斜め方向に並列させたリブ体２８を複数個設け、かつそのリブ体２８はそれぞれが交差しており、一つのリブに対して相手側は二本以上のリブ体と接触するように互いのリブ体２８の傾斜方向を設定したものである。
【００３９】
上記構成により、ハンドル５摺動時、摺接部分は点接触となり摺動抵抗が大きく減少するとともに、その点接触は二点以上で点接触しているために、摺動時、一方のリブ体２８とリブ体２８との間の凹部に相手側のリブ体２８が落ち込むことはなく、摺動時引っかかるといった使用性が悪くなることはない。
【００４０】
（参考例７）
次に参考例７を図１７を用いて説明する。なお、上記実施例、参考例と同一の箇所は説明を省略する。
【００４１】
図において、蓋体９の軸受部Ｂ１３、及び上カバー体１の軸受部Ａ２とハンドル５の突出部７とのそれぞれの摺接面において、回動方向に対して垂直な方向にリブ体２９を複数個並列させ、かつそのリブ体２９の凹凸部分の一部が円弧にてつながるように前記リブ体２９に対して垂直（回動方向）に凹部を埋めたものである。
【００４２】
上記構成により、摺接面で前記突出部８が摺動時、リブ体２９とリブ体２９との間の凹部に引っかかることはなく、スムーズな摺動が得られその使用性を損なうことはない。
【００４３】
（参考例８）
次に参考例８を図１８〜２１を用いて説明する。なお、上記実施例、参考例と同一の箇所は説明を省略する。
【００４４】
図において、集塵室２の開口縁３４に対向する前記蓋体９の少なくとも外周の一部に段差部３５を設け、その段差部３５に少なくとも一部が重なるように本体略中央部分に軸支したハンドル５を配置し、前記ハンドル５の少なくとも一部が前記集塵室２の開口縁３４の上方に位置するように構成し、前記蓋体９の側壁面３０に係止部Ａ３１を設け、蓋体９及びハンドル５の収納状態で前記係止部Ａ３１に相対するように前記ハンドル５の側壁３０７に凹部３２を設けハンドル５収納状態では係止部Ａ３１が凹部３２に重なっており、ハンドル５を回動させると前記凹部３２から前記係止部Ａ３１がはずれ、ハンドル５が掃除機本体の略水平状態と略垂直状態との間で前記係止部Ａ３１にハンドル５の側壁の下面３３がのるようにしたものである。
【００４５】
上記構成により、蓋体を開口させる際にハンドル５を略垂直状態にまで回動させる必要はなく、また途中で保持されたハンドル５は蓋体９に設けた前記係止凸部Ａ３１によって支えられるため、ハンドル５は蓋体９に押し上げられことになりハンドル５と蓋体９は一緒に開口するため、ハンドル５及び蓋体９の開閉において使用性が向上する。
【００４６】
【発明の効果】
上記実施例から明らかなように、請求項１記載の発明によれば、ハンドルの回動中心の位置が高くなるためハンドルを本体に対し略垂直状態の位置まで回動した際に持ち手の部分が高い位置にくるため、持ち手部分が取りやすくなり使用性が向上する。
【００４７】
請求項２記載の発明によれば、蓋体とハンドル軸位置は同一のまま、本体の高さ方向に対して本体中心より外周にかけて低くすることが可能となり本体を小さくすることができる。また、ハンドルを大きくすることでハンドルの使用性は向上する。
【００４８】
請求項３記載の発明によれば、ハンドル使用時、ハンドルにかかるねじれ等によるハンドルが外方向へ拡がろうとする力に対して、突出部に設けたリブ体により軸受部Ａと軸受部Ｂの少なくともいずれか一方で受けるため、ハンドルは完全に保持され、ハンドルがどの位置にいても抜けることはなく、また、上下でリブ体が受ける場合、ハンドルにかかる力が分散され負荷による変形は軽減し信頼性は向上する。
【図面の簡単な説明】
【図１】  本発明の実施例１を示す電気掃除機本体の側面図
【図２】  本発明の実施例２を示す電気掃除機本体の斜視図
【図３】  同電気掃除機本体の構成断面図
【図４】  図２におけるハンドル軸部分構成のＡ−Ａ断面図
【図５】  図４におけるＢ−Ｂ断面図
【図６】  本発明の実施例３を示す電気掃除機本体のハンドル軸部分構成図
【図７】  図６におけるＣ−Ｃ断面図
【図８】  本発明の参考例１を示す電気掃除機本体のハンドル軸部分横断面図
【図９】  同電気掃除機本体の回動時の状態図
【図１０】  本発明の参考例２を示す電気掃除機本体のハンドル軸部分構成図
【図１１】  その他の例を示した保持部の構成図
【図１２】  本発明の参考例３を示す電気掃除機本体のハンドル部分の構成図
【図１３】  本発明の参考例４を示す電気掃除機本体のハンドル軸部分の構成図
【図１４】  図１３におけるＤ−Ｄ断面図
【図１５】  本発明の参考例５を示す電気掃除機本体のハンドル軸部分の構成図
【図１６】  本発明の参考例６を示す電気掃除機本体のハンドル軸部分の構成図
【図１７】  本発明の参考例７を示す電気掃除機本体のハンドル軸部分の構成図
【図１８】  本発明の参考例８を示す電気掃除機本体の集塵室部分の横断面図
【図１９】  同電気掃除機本体のハンドル軸部分周辺の構成図
【図２０】  図１９におけるＥ−Ｅ断面図（ハンドル収納時）
【図２１】  図１９におけるＦ−Ｆ断面図（ハンドル回動、途中係止時）
【図２２】  従来例１を示す電気掃除機本体の上面図
【図２３】  図２２のＧ−Ｇ断面図
【図２４】  従来例２を示す電気掃除機本体の上面図
【図２５】  図２４のＨ−Ｈ断面図
【符号の説明】
１  電動送風機
２  集塵室
３  上カバー体
４  下カバー体
５  ハンドル
６  空間部
７  突出部
８  持ち手部分
９  蓋体
１０  支軸
１１  軸支穴
１２  軸受部Ａ
１３  軸受部Ｂ
１４  空間
１５  リブ体
１６  係止凸部
１７  壁
１８  リブ体
１９  くさび形状
２０  係止凹部
２１  鍵状
２２  傾斜面Ａ
２３  リブ体
２４  傾斜面Ｂ
２５  凹部
２６  傾斜面
２７  穴
２８  リブ体
２９  リブ体
３０  壁
３１  係止凸部
３２  凹部
３３  下面
３４  開口縁
３５  段差部
【図１】
0003951459.tif 000002
【図２】
0003951459.tif 000003
【図３】
0003951459.tif 000004
【図４】
0003951459.tif 000005
【図５】
0003951459.tif 000006
【図６】
0003951459.tif 000007
【図７】
0003951459.tif 000008
【図８】
0003951459.tif 000009
【図９】
0003951459.tif 000010
【図１０】
0003951459.tif 000011
【図１１】
0003951459.tif 000012
【図１２】
0003951459.tif 000013
【図１３】
0003951459.tif 000014
【図１４】
0003951459.tif 000015
【図１５】
0003951459.tif 000016
【図１６】
0003951459.tif 000017
【図１７】
0003951459.tif 000018
【図１８】
0003951459.tif 000019
【図１９】
0003951459.tif 000020
【図２０】
0003951459.tif 000021
【図２１】
0003951459.tif 000022
【図２２】
0003951459.tif 000023
【図２３】
0003951459.tif 000024
【図２４】
0003951459.tif 000025
【図２５】
0003951459.tif 000026